(57)【特許請求の範囲】
【請求項１】
放送信号を受信して所定の音声再生動作を行う放送信号受信再生手段と、
前記放送信号受信再生手段によって再生された音声信号の無音状態を検出する無音状態検出手段と、
前記無音状態検出手段によって無音状態を検出したときに、前記放送信号受信再生手段に指示を送って、受信対象となる放送信号を、同一の内容を有する他の放送信号に切り替える放送信号切替手段と、
を備え、前記放送信号受信再生手段は、デジタル変調方式で変調されたデジタル放送信号とアナログ変調方式で変調されたアナログ放送信号の両方を受信可能であり、
前記放送信号切替手段は、受信中のデジタル放送信号と同一内容の他のデジタル放送信号とアナログ放送信号の両方が存在する場合には、前記放送信号受信再生手段に指示を送って、この他のデジタル放送信号に切り替えることを特徴とするデジタル放送受信機。
【請求項２】
請求項１において、
前記放送信号受信再生手段は、デジタル変調方式で変調されたデジタル放送信号を受信し、
前記放送信号切替手段は、受信中のデジタル放送信号と同一内容の他のデジタル放送信号が存在する場合に、前記放送信号受信再生手段に指示を送って、この他のデジタル放送信号に切り替えることを特徴とするデジタル放送受信機。
【請求項３】
請求項１または２において、
前記無音状態には、周期的な無音状態と継続的な無音状態とが含まれており、
前記無音状態検出手段によって無音状態を検出したときに、受信中のデジタル放送信号と同一内容の他の放送信号が存在しない場合に、前記放送信号受信再生手段によって再生された音声信号の出力を強制的に停止して継続的な無音状態を維持する第１の無音処理手段をさらに備えることを特徴とするデジタル放送受信機。
【請求項４】
請求項１〜３のいずれかにおいて、
前記無音状態検出手段によって無音状態を検出したときに、その旨を利用者に通知する無音状態通知手段をさらに備えることを特徴とするデジタル放送受信機。
【請求項５】
請求項４において、
前記無音状態検出手段によって無音状態を検出したときに、受信中のデジタル放送信号と同一内容の他の放送信号が存在しない場合に、前記放送信号受信再生手段によって再生された音声信号を出力する際の音量設定の変更を制限する音量制限手段をさらに備えることを特徴とするデジタル放送受信機。
【請求項６】
請求項１〜５のいずれかにおいて、
前記無音状態検出手段によって無音状態を検出した履歴情報を格納する履歴情報格納手段をさらに備え、
前記履歴情報格納手段に格納された前記履歴情報と一致する放送信号を前記放送信号受信再生手段で受信したときに、前記無音状態検出手段および前記放送信号切替手段の動作が終了するまで、前記放送信号受信再生手段によって再生された音声信号の出力を強制的に停止して継続的な無音状態を維持する第２の無音処理手段をさらに備えることを特徴とするデジタル放送受信機。
【請求項７】
請求項１〜６のいずれかにおいて、
前記放送信号受信再生手段は、ＤＡＢ／Ｔ−ＤＭＢ放送規格に対応したデジタル変調方式で変調されたデジタル放送信号を少なくとも受信することを特徴とするデジタル放送受信機。
【請求項８】
請求項７において、
前記無音状態検出手段は、前記放送信号受信再生手段による音声再生動作後の音声データに基づいて無音状態を検出することを特徴とするデジタル放送受信機。
【請求項９】
請求項８において、
前記無音状態検出手段は、前記音声データの振幅値の２乗を計算した後に積分した結果に基づいて無音状態を検出することを特徴とするデジタル放送受信機。
【請求項１０】
請求項７において、
前記無音状態検出手段は、前記放送信号受信再生手段によって受信した放送信号に含まれる高速情報チャネルＦＩＣに登録されたサービスコンポーネントＳＣの内容に基づいて無音状態を検出することを特徴とするデジタル放送受信機。
【請求項１１】
請求項１０において、
前記無音状態検出手段は、前記サービスコンポーネントＳＣの中身がヌルの場合に無音状態を検出することを特徴とするデジタル放送受信機。
【請求項１２】
請求項１０において、
前記無音状態検出手段は、前記サービスコンポーネントＳＣに含まれるＭＰＥＧ２−ＴＳにＰＡＴおよびＰＭＴが存在しない場合に該当するときに無音状態である旨の判定を行うことを特徴とするデジタル放送受信機。
【請求項１３】
請求項１０において、
前記無音状態検出手段は、前記サービスコンポーネントＳＣに含まれるＭＰＥＧ２−ＴＳにオーディオＴＳが含まれない場合に無音状態である旨の判定を行うことを特徴とするデジタル放送受信機。
【請求項１４】
請求項１０において、
前記無音状態検出手段は、前記サービスコンポーネントＳＣのＭＰＥＧ２−ＴＳに含まれるオーディオＴＳがＭＰＥＧ４コンテンツとして異常である場合に無音状態である旨の判定を行うことを特徴とするデジタル放送受信機。
【発明の詳細な説明】
【技術分野】
【０００１】
本発明は、ＤＡＢ（Digital Audio Broadcasting）／Ｔ−ＤＭＢ（Terrestrial-digital media broadcasting）放送規格等にしたがった番組データを受信するデジタル放送受信機に関する。
【背景技術】
【０００２】
従来から、無音状態になった種々の原因を報知して、それぞれの原因に対する対策を施すことを支援するようにしたデジタル放送受信機が知られている（例えば、特許文献１参照。）。この受信機では、無音状態の原因として、（１）放送電波が受信できないとき、（２）非契約チャンネルを選局したとき、（３）現在休止中のチャンネルを選局したとき、（４）視聴制限されているチャンネルを選局したとき、（５）放送受信機で対応していないチャンネルを選局したとき、などが考慮されており、無音状態を検出したときにその原因に対応する警告音が出力される。
【先行技術文献】
【特許文献】
【０００３】
【特許文献１】特開２００５−３５４５０５号公報
【発明の概要】
【発明が解決しようとする課題】
【０００４】
ところで、上述した特許文献１に開示された受信機では、放送局側の放送規格逸脱により受信番組の音声が正常にデコードできずに周期的な無音状態や継続的な無音状態が続いた場合にはこれらの無音状態を検出できない。例えば、欧州の各都市で受信可能なＤＡＢ／Ｔ−ＤＭＢ放送規格にしたがった放送を例にとると、このような無音状態が発生する原因の代表的なものとして以下の５つのケース（Ａ）〜（Ｅ）が考えられる。
（Ａ）ＦＩＣ（Fast Information Channel）にＳＣ（Service Component）として登録はあるが、実際にはそのＳＣの中身がＮＵＬＬ（０ｘＦＦで埋め尽くされている）となっている。
（Ｂ）ＦＩＣにＳＣとして登録があり、ＳＣ本体とその中のＭＰＥＧ２−ＴＳが存在するが、目次といえるＰＡＴ／ＰＭＴが存在しない。
（Ｃ）ＦＩＣにＳＣとして登録があり、目次といえるＰＡＴ／ＰＭＴに存在するが、Audio ＴＳ（音声の本体）が存在しない。
（Ｄ）ＭＰＥＧ２−ＴＳまでは正常だが、ＭＰＥＧ４コンテンツが異常になっている。例えば、ＩＯＤ（Initial Object Descriptor）がない、ＩＯＤ内部でidleFlag＝ＯＮ、continuity＿counterＮＧで無音などの場合である。
（Ｅ）ＭＰＥＧ４コンテンツとして正常だが、実際の音声が無音のとき。
【０００５】
この中で、（Ａ）〜（Ｄ）が放送規格違反の場合であり、（Ｅ）が放送事故の場合である。これら５つのケース（Ａ）〜（Ｅ）は、受信データのＦＩＣは正常なので、ＦＩＣに基づく異常判定を行うことはできない。また、受信データに対してエラー訂正しようとしたときに、放送規格違反のためにエラーが多く発生して訂正しきれなくなると、周期的に（例えば３秒に１回の頻度で５００ｍ秒程度）無音状態が発生する。
【０００６】
このような番組データを受信すると、出力音声が周期的あるいは継続的な無音状態になるため、本来は音質が良好なデジタル放送であるにもかかわらず、受信音声の品質が低下するという問題があった。このような問題は、同一内容を有する他の番組がある場合には、その番組に切り替えることで回避することが可能であるが、そのためには切替先の番組を探すために実際に番組を切り替えるなどの操作が必要になり、操作が煩雑になるという問題が新たに生じる。さらに、無音状態が継続した場合には、音量の設定が低いために無音になっていると勘違いした利用者が音量の設定を上げると、その後何らかの操作（他の番組への切り替え操作や、ＣＤ等の他の音楽ソースへの切り替え操作など）を行ったときに、大音量になって音声が突然出力されるおそれがあるという問題があった。
【０００７】
本発明は、このような点に鑑みて創作されたものであり、その目的は、放送規格違反や放送事故における周期的あるいは継続的な無音状態による受信音声の品質低下を煩雑な操作を行うことなく防止することができるデジタル放送受信機を提供することにある。また、本発明の他の目的は、無音状態が生じたときに誤って音量を上げて大音量の音声が突然出力されることを防止することができるデジタル放送受信機を提供することにある。
【課題を解決するための手段】
【０００８】
上述した課題を解決するために、本発明のデジタル放送受信機は、放送信号を受信して所定の音声再生動作を行う放送信号受信再生手段と、放送信号受信再生手段によって再生された音声信号の無音状態を検出する無音状態検出手段と、無音状態検出手段によって無音状態を検出したときに、放送信号受信再生手段に指示を送って、受信対象となる放送信号を、同一の内容を有する他の放送信号に切り替える放送信号切替手段とを備えている。
【０００９】
受信した音声信号の無音状態を検出したときに同一内容を有する他の放送信号に切り替えることができるため、放送規格違反や放送事故における周期的あるいは継続的な無音状態が発生した場合であっても、代わりの放送信号を受信して正常な音声出力を行うことができ、受信音声の品質低下を防止することができる。また、このために利用者は煩雑な操作を行う必要がなく、操作性を向上させることができる。
【００１０】
また、上述した放送信号受信再生手段は、デジタル変調方式で変調されたデジタル放送信号を受信し、放送信号切替手段は、受信中のデジタル放送信号と同一内容の他のデジタル放送信号が存在する場合に、放送信号受信再生手段に指示を送って、この他のデジタル放送信号に切り替えることが望ましい。これにより、出力音声の品質を完全に維持することが可能になる。
【００１２】
また、上述した放送信号受信再生手段は、デジタル変調方式で変調されたデジタル放送信号とアナログ変調方式で変調されたアナログ放送信号の両方を受信可能であり、放送信号切替手段は、受信中のデジタル放送信号と同一内容の他のデジタル放送信号とアナログ放送信号の両方が存在する場合には、放送信号受信再生手段に指示を送って、この他のデジタル放送信号に切り替える。音質が優れるデジタル放送を優先的に受信することにより、出力音声に品質低下を極力防止することができる。
【００１３】
また、上述した無音状態には、周期的な無音状態と継続的な無音状態とが含まれており、無音状態検出手段によって無音状態を検出したときに、受信中のデジタル放送信号と同一内容の他の放送信号が存在しない場合に、放送信号受信再生手段によって再生された音声信号の出力を強制的に停止して継続的な無音状態を維持する第１の無音処理手段をさらに備えることが望ましい。これにより、周期的な無音状態の発生による耳障りな音声出力を回避することができる。
【００１４】
また、上述した無音状態検出手段によって無音状態を検出したときに、その旨を利用者に通知する無音状態通知手段をさらに備えることが望ましい。これにより、放送信号の切り替え等を行った場合にそれが無音状態の発生に基づくものであることを利用者に知らせることができる。
【００１５】
また、上述した無音状態検出手段によって無音状態を検出したときに、受信中のデジタル放送信号と同一内容の他の放送信号が存在しない場合に、放送信号受信再生手段によって再生された音声信号を出力する際の音量設定の変更を制限する音量制限手段をさらに備えることが望ましい。これにより、継続的な無音状態が発生したことを知らずに利用者が音量を上げすぎてその後大音量の音声が突然出力されることを防止することができる。
【００１６】
また、上述した無音状態検出手段によって無音状態を検出した履歴情報を格納する履歴情報格納手段をさらに備え、履歴情報格納手段に格納された履歴情報と一致する放送信号を放送信号受信再生手段で受信したときに、無音状態検出手段および放送信号切替手段の動作が終了するまで、放送信号受信再生手段によって再生された音声信号の出力を強制的に停止して継続的な無音状態を維持する第２の無音処理手段をさらに備えることが望ましい。無音状態が発生するおそれが高い放送信号について予め継続的な無音状態に設定することにより、耳障りな周期的な無音状態の発生を事前に防止することができる。
【００１７】
また、上述した放送信号受信再生手段は、ＤＡＢ／Ｔ−ＤＭＢ放送規格に対応したデジタル変調方式で変調されたデジタル放送信号を少なくとも受信することが望ましい。また、上述した無音状態検出手段は、放送信号受信再生手段による音声再生動作後の音声データに基づいて無音状態を検出することが望ましい。具体的には、上述した無音状態検出手段は、音声データの振幅値の２乗を計算した後に積分した結果に基づいて無音状態を検出することが望ましい。あるいは、上述した無音状態検出手段は、放送信号受信再生手段によって受信した放送信号に含まれる高速情報チャネルＦＩＣに登録されたサービスコンポーネントＳＣの内容に基づいて無音状態を検出することが望ましい。具体的には、上述した無音状態検出手段は、サービスコンポーネントＳＣの中身がヌルの場合に無音状態を検出することが望ましい。また、上述した無音状態検出手段は、サービスコンポーネントＳＣに含まれるＭＰＥＧ２−ＴＳにＰＡＴおよびＰＭＴが存在しない場合に該当するときに無音状態である旨の判定を行うことが望ましい。また、上述した無音状態検出手段は、サービスコンポーネントＳＣに含まれるＭＰＥＧ２−ＴＳにオーディオＴＳが含まれない場合に無音状態である旨の判定を行うことが望ましい。また、上述した無音状態検出手段は、サービスコンポーネントＳＣのＭＰＥＧ２−ＴＳに含まれるオーディオＴＳがＭＰＥＧ４コンテンツとして異常である場合に無音状態である旨の判定を行うことが望ましい。これにより、放送規格違反や放送事故によって発生する無音状態を確実に検出することができる。
【図面の簡単な説明】
【００１８】
【図１】一実施形態のデジタル放送受信機の構成を示す図である。
【図２】ＤＡＢ／Ｔ−ＤＭＢ放送規格にしたがった放送信号のフレーム構成を示す図である。
【図３】無音状態に対応する各種の対策を実施する主に主制御部の動作手順を示す流れ図である。
【図４】サービス受信中の表示例を示す図である。
【図５】履歴情報を用いて無音状態に対応する各種の対策を実施する主制御部の変形例の動作手順を示す流れ図である。
【発明を実施するための形態】
【００１９】
以下、本発明を適用した一実施形態のデジタル放送受信機について、図面を参照しながら説明する。図１は、一実施形態のデジタル放送受信機の構成を示す図である。このデジタル放送受信機は、主に欧州で用いられているＤＡＢ／Ｔ−ＤＭＢ放送規格にしたがったデジタル放送信号を受信するためのものであるが、アナログ放送信号であるＡＭ放送信号とＦＭ放送信号を受信するための構成を併せ持っている。また、例えば、このデジタル放送受信機は車両に搭載されている。
【００２０】
図１に示すように、本実施形態のデジタル放送受信機は、ＤＡＢ／Ｔ−ＤＭＢチューナ部２０、ＦＭ／ＡＭチューナ部４０、出力処理部５０、アンプ５２、スピーカ５４、主制御部６０、表示装置７０、操作部８０、履歴情報格納部９０を備えている。
【００２１】
ＤＡＢ／Ｔ−ＤＭＢチューナ部２０は、変調方式としてＯＦＤＭ（Orthogonal Frequency Division Multiplexing）を用いたマルチキャリア方式で放送されたデジタル放送信号を受信して復調処理および復号化処理を行って音声データを再生する。例えば、このＤＡＢ／Ｔ−ＤＭＢチューナ部２０は、モジュール化されており、ＲＦ部２２、アナログ−デジタル変換器（Ａ／Ｄ）２４、デコーダ２６、無音状態検出部２８を含んで構成されている。ＲＦ部２２は、アンテナ１０を介して受信した放送信号を中間周波信号に変換する。アナログ−デジタル変換器２４は、アナログの中間周波信号をデジタルデータ（中間周波データ）に変換する。デコーダ２６は、中間周波データに対して復調処理と復号化処理を行ってサービス毎の音声データを生成する。無音状態検出部２８は、デコーダ２６の処理内容に基づいて、サービス受信中に発生する無音状態を検出する。本実施形態では、主に放送規格違反を原因とする無音状態と放送事故を原因とする無音状態を対象としている。これらの具体例とその検出方法については後述する。
【００２２】
なお、ＤＡＢ／Ｔ−ＤＭＢチューナ部２０では、ＲＦ部２２から出力される中間周波信号をデジタルデータに変換した後にデコーダ２６で復調処理と復号化処理を行っているが、どの部分までをアナログ処理で行いどの部分からデジタル処理で行うかは適宜変更可能である。また、ＤＡＢ／Ｔ−ＤＭＢチューナ部２０を１モジュールで構成せずに、他の構成も含めたモジュール化を行ったり、個別の部品を組み合わせて同様の処理を行うようにしてもよい。
【００２３】
図２は、ＤＡＢ／Ｔ−ＤＭＢ放送規格にしたがった放送信号のフレーム構成を示す図である。図２に示すように、フレームは、同期チャネル、ファースト・インフォメーション・チャネルＦＩＣ、メイン・サービス・チャネルＭＳＣによって構成されている。
【００２４】
同期チャネルは、ＮＵＬＬシンボルと位相基準シンボルＰＲＳ（Phase Reference Symbol）からなり、フレームの先頭部分を検出してフレーム同期をとるために用いられる。ファースト・インフォメーション・チャネルＦＩＣは、メイン・サービス・チャネルＭＳＣの内容を説明する領域であり、時間／日付データ、サービス（番組）の配列データ、サービスのラベル（名称）、サービス識別コードＳＩＤ（Service Identification Code）などが含まれる。複数個のＦＩＧ（ファースト・インフォメーション・グループ）がエネルギ拡散されて、所定の情報単位である１個のＦＩＢ（ファースト・インフォメーション・ブロック）を構成している。また、各ＦＩＢは、畳み込み符号化され、この畳み込み符号化された３個のＦＩＢが１個のＦＩＣを構成している。メイン・サービス・チャネルＭＳＣは、複数のサービスのそれぞれに対応する主に音楽データが含まれる。このメイン・サービス・チャネルＭＳＣは、エネルギ拡散され、畳み込み符号化され、タイムインターリーブされた複数個のサブ・チャネル（ＳｕｂＣｈ）を含んでいる。
【００２５】
ＦＭ／ＡＭチューナ部４０は、アンテナ３０を介して受信したアナログ放送としてのＦＭ放送信号およびＡＭ放送信号のそれぞれに対応する復調処理（ＦＭ検波処理やＡＭ検波処理）を行って音声データを再生する。なお、ＦＭ放送信号に対応する各番組にはプログラム識別コード（ＰＩ）が対応付けられており、上記のデジタル放送信号に含まれるサービスと同一内容を有するＦＭ放送の番組については、サービスに対応するサービス識別コードＳＩＤとＦＭ放送の番組に対応するプログラム識別コードＰＩとが同じ番号になっている。したがって、デジタル放送のサービスと同一内容を有するＦＭ放送の番組を探す場合には、サービス識別コードＳＩＤと同じ値のプログラム識別コードＰＩを有する番組を検出すればよい。
【００２６】
出力処理部５０は、ＤＡＢ／Ｔ−ＤＭＢチューナ部２０およびＦＭ／ＡＭチューナ部４０のそれぞれから出力される音声データが入力されており、出力対象となる音声データの切り替えや音量の可変制御、他の音（例えば操作音）の重ね合わせ処理等を行う。アンプ５２は、出力処理部５０から出力される音声データを増幅してスピーカ５４から増幅後の音声を出力する。なお、実際には、出力処理部５０における各種処理後の音声データをアナログの音声信号に変換する必要があるが、この変換処理は出力処理部５０内で行ってもよいが、出力処理部５０の後段にデジタル−アナログ変換器を設けて行うようにしてもよい。
【００２７】
主制御部６０は、デジタル放送受信機全体の受信動作を制御するとともに、無音状態検出部２８によって無音状態が検出されたときにこの無音状態に対応する各種の対策を実施する。この各種の対策を実施するために、主制御部６０は、サービス切替部６２、無音通知部６４、無音処理部６６、音量制限部６８、履歴処理部６９を備えている。なお、無音状態に対応する各種の対策以外の通常の受信動作の制御に関する構成（受信対象となるサービスを選択する動作や受信中のサービスについて受信内容を表示する動作などに必要な構成）については図示が省略されている。
【００２８】
サービス切替部６２は、受信中のサービスについて無音状態検出部２８によって無音状態が検出されたときに、このサービスとサービス識別コードＳＩＤが同じである他の周波数(アンサンブル）のサービスを検索して切り替えたり、このサービスのサービス識別コードＳＩＤと同じ値のプログラム識別コードＰＩを有するＦＭ放送の番組を検索して切り替える処理を行う。
【００２９】
無音通知部６４は、受信中のサービスについて無音状態検出部２８によって無音状態が検出されたときに、無音状態が発生している旨の通知を行う。例えば、この通知は表示装置７０に所定のメッセージを表示することにより行われる。無音処理部６６は、受信中のサービスについて無音状態検出部２８によって無音状態が検出されたときに、スピーカ５４から出力される音声を無音状態にする処理を行う。例えば、周期的な無音状態が発生すると、受信音声の品質が低下して利用者に不快感を与えることになるため、このような出力音声を無音状態にすることにより、このような不快感をなくすことができる。
【００３０】
音量制限部６８は、受信中のサービスについて無音状態検出部２８によって無音状態が検出されたときに、利用者が操作部８０を操作して音量を変更する処理を制限する。この「制限」には、音量の変更処理自体を無効にする場合の他、音量を上げる指示がなされても所定レベル以上に音量の変更ができなくする場合も含まれる。
【００３１】
履歴処理部６９は、受信中のサービスについて無音状態検出部２８によって無音状態が検出されたときに、このサービスのサービス識別コードＳＩＤ、このサービスが含まれるアンサンブルの情報、無音状態の内容（周期的／継続的）などの履歴情報を履歴情報格納部９０に格納する。
【００３２】
表示装置７０は、デジタル放送受信機の動作状態を示す動作画面や各種操作を行うための操作画面などを表示する。操作部８０は、利用者が操作指示を行うためのものであり、各種の操作キーや操作つまみなどが含まれる。利用者による音量の変更指示や受信対象となるサービスの切替指示などが操作部８０を用いて行われる。
【００３３】
上述したＲＦ部２２、アナログ−デジタル変換器２４、デコーダ２６が放送信号受信再生手段に、無音状態検出部２８が無音状態検出手段に、サービス切替部６２が放送信号切替手段に、無音処理部６６が第１および第２の無音処理手段に、無音通知部６４が無音状態通知手段に、音量制限部６８が音量制限手段に、履歴情報格納部９０が履歴情報格納手段にそれぞれ対応する。
【００３４】
本実施形態のデジタル放送受信機はこのような構成を有しており、次に、受信中のサービスについて無音状態が検出されたときにこの無音状態に対応する各種の対策を実施する動作について説明する。
【００３５】
図３は、無音状態に対応する各種の対策を実施する主に主制御部６０の動作手順を示す流れ図である。デジタル放送受信機が起動されてサービスの受信を開始すると（ステップ１００）、主制御部６０は、この受信サービスに関連して受信内容を表示装置７０に表示するとともに（ステップ１０２）、受信対象のサービスに対応する音声出力を出力処理部５０に指示してスピーカ５４から音声出力を行う（ステップ１０４）。
【００３６】
図４は、サービス受信中の表示例を示す図である。図４において、上述したステップ１０２において表示される表示画面の例がＤ１で示されている。この例では、「１３Ｆ：ＣＲ  ＤＡＢ＋  ＲＯＭＡ」で示される特定のアンサンブルに５つのサービス（「ＫＩＳＳ  ＫＩＳＳ  ＩＴＡＬＩＡ」、「Ｒａｄｉｏ  １０５」等）が含まれており、これらのサービスの中から「ＫＩＳＳ  ＫＩＳＳ  ＩＴＡＬＩＡ」が選択されて受信中であることを示すステーションリストの画面Ｄ１が表示されている。
【００３７】
このようなサービス受信動作と並行して、無音状態検出部２８はこのサービスの出力音声について無音状態の検出を行い、サービス切替部６２は、この検出結果に基づいて無音状態が検出されたか否かを判定する（ステップ１０６）。
【００３８】
本実施形態において検出対象となる代表的な無音状態としては、以下の５つのケース（Ａ）〜（Ｅ）が考えられる。
（Ａ）ＦＩＣにＳＣ（Service Component）として登録はあるが、実際にはそのＳＣの中身であるＭＳＣのＳｕｂＣｈがＮＵＬＬ（０ｘＦＦで埋め尽くされている）となっている。
（Ｂ）ＦＩＣにＳＣとして登録があり、ＳＣ本体であるＭＳＣのＳｕｂＣｈとその中のＭＰＥＧ２−ＴＳが存在するが、目次といえるＰＡＴ／ＰＭＴが存在しない。
（Ｃ）ＦＩＣにＳＣとして登録があり、目次といえるＰＡＴ／ＰＭＴに存在するが、ＭＳＣのＳｕｂＣｈにAudio ＴＳ（音声の本体）が存在しない。
（Ｄ）ＭＰＥＧ２−ＴＳまでは正常だが、Audio ＴＳのＭＰＥＧ４コンテンツが異常になっている。例えば、ＩＯＤ（Initial Object Descriptor）がない、ＩＯＤ内部でidleFlag＝ＯＮ、continuity＿counterＮＧで無音などの場合である。
（Ｅ）Audio ＴＳＭＰＥＧ４コンテンツとして正常だが、実際の音声が無音のとき。
【００３９】
この中で、放送規格違反に対応するケース（Ａ）〜（Ｄ）については、デコーダ２６によるデコード処理中に該当データの内容を調べることにより、それぞれに対応する無音状態の有無を検出することができる。また、放送事故に対応するケース（Ｅ）については、デコーダ２６によるデコード処理後の音声データあるいはデコード処理の途中で得られる圧縮音声データの内容を調べることにより、対応する無音状態の有無を検出することができる。
【００４０】
無音状態が検出されない場合にはステップ１０６の判定において否定判断が行われ、ステップ１００に戻ってサービス受信動作が継続される。また、無音状態が検出されると、ステップ１０６の判定において肯定判断が行われる。次に、サービス切替部６２は、受信中のサービスの周波数（アンサンブル）と異なる周波数（アンサンブル）で同一のサービス識別コードＳＩＤを有するサービス（内容が同じサービス）が存在するか否かを判定する（ステップ１０８）。同一ＳＩＤのサービスが存在する場合には肯定判断が行われ、サービス切替部６２は、ＤＡＢ／Ｔ−ＤＭＢチューナ部２０に指示を送って異なる周波数で同一ＳＩＤのサービスに切り替える（ステップ１１０）。その後、無音通知部６４は、この切り替え後のサービスに関連して受信内容を表示装置７０に表示し（ステップ１１２）、サービス切替部６２は、切り替え後のサービスに対応する音声出力を出力処理部５０に指示してスピーカ５４から音声出力を行う（ステップ１１４）。図４において、上述したステップ１１２において表示される表示画面の例がＤ２で示されている。この例では、「１４Ｆ：ＣＲ  ＤＡＢ＋  ＭＩＬＡＮＯ」で示されるアンサンブルに含まれる同一ＳＩＤのサービス「ＫＩＳＳ  ＫＩＳＳ  ＩＴＡＬＩＡ」に切り替えて受信中であることを示すステーションリストの画面Ｄ２が表示されており、この画面Ｄ２に同一ＳＩＤのサービスに切り替えたことを示すアイコンＡが含まれている。なお、ステーションリストの表示自体は通常のサービス受信動作と同じであるため、上述したステーションリストの画面Ｄ２は主制御部６０が作成し、その中のアイコンＡのみを無音通知部６４が作成してサービス切り替えを行った旨を利用者に通知するようにしてもよい。
【００４１】
次に、主制御部６０は、操作部８０を操作して利用者によってサービス切り替えが指示されたか否かを判定する（ステップ１１６）。サービス切り替えが指示されない場合には否定判断が行われ、ステップ１１０に戻って切り替え後のサービス受信動作が継続される。また、サービス切り替えが指示された場合にはステップ１１６の判定において肯定判断が行われ、主制御部６０は、切替指示に対応してサービス切り替えを行う（ステップ１１８）。その後、ステップ１００に戻って切り替え後のサービスについてサービス受信動作が継続される。
【００４２】
また、同一ＳＩＤのサービスが存在しない場合にはステップ１０８の判定において否定判断が行われる。次に、無音通知部６４は、出力音声が異常（無音状態）であることを通知する表示を行う（ステップ１２０）。図４に示す例では、無音通知部６４によって無音状態が発生していることを知らせる通知画面Ｄ３が作成され表示されている。この通知画面Ｄ３には、出力音声が異常であることを示す「ＤＡＢ  ｓｏｕｎｄ  ｉｓ  ａｂｎｏｒｍａｌ！」などの表示が含まれる。
【００４３】
また、サービス切替部６２は、受信中のサービスのサービス識別コードＳＩＤと同じ値のプログラム識別コードＰＩを有するＦＭ放送の番組が存在するか否かを判定する（ステップ１２２）。ＳＩＤと同じＰＩのＦＭ放送番組が存在する場合には肯定判断が行われ、サービス切替部６２は、ＦＭ／ＡＭチューナ部４０に指示を送って、それまで受信していたサービスと同一内容を有するＦＭ放送番組に切り替える（ステップ１２４）。その後、無音通知部６４は、この切り替え後のＦＭ放送番組に関連して受信内容を表示装置７０に表示し（ステップ１２６）、サービス切替部６２は、切り替え後のＦＭ放送番組に対応する音声出力を出力処理部５０に指示してスピーカ５４から音声出力を行う（ステップ１２８）。図４において、上述したステップ１２６において表示される表示画面の例がＤ４で示されている。この例では、「１３Ｆ：ＣＲ  ＤＡＢ＋  ＲＯＭＡ」で示されるアンサンブルに含まれる切り替え前のサービス「ＫＩＳＳ  ＫＩＳＳ  ＩＴＡＬＩＡ」に対応するＦＭ放送番組を受信したことを示すステーションリストの画面Ｄ４が表示されており、この画面Ｄ４にＦＭ放送番組に切り替えたことを示すアイコンＢが含まれている。
【００４４】
なお、ステーションリストの表示自体は通常のサービス受信動作と同じであるため、上述したステーションリストの画面Ｄ４は主制御部６０が作成し、その中のアイコンＢのみを無音通知部６４が作成してＦＭ放送番組に切り替えを行った旨を利用者に通知するようにしてもよい。
【００４５】
次に、主制御部６０は、操作部８０を操作して利用者によってサービス切り替えが指示されたか否かを判定する（ステップ１３０）。サービス切り替えが指示されない場合には否定判断が行われ、ステップ１２４に戻って切り替え後のＦＭ放送番組の受信動作が継続される。また、サービス切り替えが指示された場合にはステップ１３０の判定において肯定判断が行われ、主制御部６０は、切替指示に対応してサービス切り替えを行う（ステップ１３２）。その後、ステップ１００に戻って切り替え後のサービスについてサービス受信動作が継続される。
【００４６】
また、ＳＩＤと同じＰＩのＦＭ放送番組が存在しない場合にはステップ１２２において否定判断が行われる。次に、無音処理部６６は、出力処理部５０に無音指示を送ってスピーカ５４の出力音声を無音状態にする（ステップ１３４）。また、音量制限部６８は、利用者が操作部８０を操作して音量を変更する処理を制限する（ステップ１３６）。なお、この場合には、無音状態が発生していることを知らせる通知画面Ｄ３の表示が継続される。
【００４７】
次に、主制御部６０は、操作部８０を操作して利用者によってサービス切り替えが指示されたか否かを判定する（ステップ１３８）。サービス切り替えが指示されない場合には否定判断が行われ、ステップ１３４に戻って無音処理が継続される。また、サービス切り替えが指示された場合にはステップ１３８の判定において肯定判断が行われ、主制御部６０は、切替指示に対応してサービス切り替えを行う（ステップ１４０）。その後、ステップ１００に戻って切り替え後のサービスについてサービス受信動作が継続される。
【００４８】
このように、本実施形態のデジタル放送受信機では、受信した音声信号の無音状態を検出したときに同一内容を有する他の放送信号に切り替えることができるため、放送規格違反や放送事故における周期的あるいは継続的な無音状態が発生した場合であっても、代わりの放送信号を受信して正常な音声出力を行うことができ、受信音声の品質低下を防止することができる。また、このために利用者は煩雑な操作を行う必要がなく、操作性を向上させることができる。
【００４９】
特に、同一ＳＩＤのサービスに切り替える場合には、出力音声の品質を完全に維持することが可能になる。また、ＳＩＤと同一のＰＩを有するＦＭ放送番組に切り替える場合には、音質自体は若干低下するおそれはあるが、無音状態が含まれない音声出力を行うことが可能になり、無音状態が発生した場合に比べて受信音声の品質低下を防止することができる。また、ＦＭ放送番組よりも同一ＳＩＤのサービスへの切り替えを優先させることにより、出力音声に品質低下を極力防止することができる。
【００５０】
また、同一ＳＩＤのサービスや同じＰＩのＦＭ放送番組が存在しない場合に出力音声を無音状態にすることにより（図３のステップ１３４）、周期的な無音状態の発生による耳障りな音声出力を回避することができる。また、無音状態を検出したときに、その旨の表示を行うことにより（図３のステップ１２０）、放送信号の切り替え等を行った場合にそれが無音状態の発生に基づくものであることを利用者に知らせることができる。なお、図３のステップ１２０の動作は、ステップ１０８（同一ＳＩＤの判定動作）の前に行うようにしてもよい。
【００５１】
また、同一ＳＩＤのサービスや同じＰＩのＦＭ放送番組が存在せずに無音状態に設定したときに音量設定の変更を制限することにより（図３のステップ１３６）、継続的な無音状態が発生したことを知らずに利用者が音量を上げすぎてその後大音量の音声が突然出力されることを防止することができる。
【００５２】
なお、本発明は上記実施形態に限定されるものではなく、本発明の要旨の範囲内において種々の変形実施が可能である。例えば、上述した実施形態では、履歴情報格納部９０に格納された履歴情報を用いずに無音状態の検出やその対策を実施するようにしたが、この履歴情報を用いるようにしてもよい。
【００５３】
図５は、履歴情報を用いて無音状態に対応する各種の対策を実施する主制御部６０の変形例の動作手順を示す流れ図である。図５に示す動作手順は、図３に示した動作手順に対して、ステップ２００、２０２が追加された点が異なっている。以下では、これらの追加された各ステップに着目して説明を行う。
【００５４】
受信サービスに関連して受信内容が表示装置７０に表示された後（ステップ１０２）、履歴処理部６９は、受信サービスと同一の履歴情報が履歴情報格納部９０に格納されているか否かを判定する（ステップ２００）。ここで、アンサンブルとＳＩＤの両方が同じである場合に同一の履歴情報であると判定される。受信サービスと同一の履歴情報が格納されていない場合には否定判断が行われ、ステップ１０４（音声出力）に移行する。また、受信サービスと同一の履歴情報が格納されている場合にはステップ２００の判定において肯定判断が行われる。この場合には、次に無音処理部６６は、出力処理部５０に無音指示を送ってスピーカ５４の出力音声を無音状態にする（ステップ２０２）。その後、ステップ１０６（無音状態判定）に移行する。このように、履歴情報と一致するサービスを新たに受信した場合に出力音声を無音状態に設定することにより、無音状態が発生するおそれが高いサービスについて予め継続的な無音状態に設定することができ、耳障りな周期的な無音状態の発生を事前に防止することが可能となる。また、無音状態の発生を正確に検出するためにはある程度の期間を要するが、履歴情報に基づいて無音状態が発生するおそれが高いことが予めわかっているため、無音状態が発生することを前提にその検証を行うだけでよいため、正確に無音状態を検出するための時間を短縮することが可能となる。
【００５５】
また、上述した実施形態では、ＤＡＢ／Ｔ−ＤＭＢチューナ部２０内の無音状態検出部２８によってデコーダ２６の処理内容に基づいてサービス受信中に発生する無音状態を検出したが、無音状態検出部２８を主制御部６０内に設け、出力処理部５０に入力（あるいは出力）される音声データ（ＤＡＢ／Ｔ−ＤＭＢチューナ部２０による音声再生動作後の音声データ）に基づいて、サービス受信中に発生する無音状態を検出するようにしてもよい。具体的には、出力処理部５０に入力（あるいは出力）される音声データの振幅値の２乗を計算した後に積分した結果に基づいて無音状態を検出するようにしてもよい。このようにして無音状態を検出する周期を適切に設定することにより（例えば、数秒ごとに５００ｍ秒程度の無音状態が周期的に発生することを想定する場合には、無音状態を検出する周期を５００ｍ秒より短く設定する）、確実にサービス受信中に発生する無音状態を検出することが可能となる。
【００５６】
また、上述した実施形態では、ＤＡＢ／Ｔ−ＤＭＢ放送規格にしたがった放送信号を受信するＤＡＢ／Ｔ−ＤＭＢチューナ部２０について説明したが、受信中のサービス（番組）と同一内容を有する他のサービス（番組）の特定が可能な他のデジタル放送受信機についても本発明を適用することができる。また、上述した実施形態では、ＳＩＤと同一のＰＩを有するＦＭ放送番組をＦＭ／ＡＭチューナ部４０によって受信する場合を考えたが、ＦＭ／ＡＭチューナ部４０がない受信機についても本発明を適用することができる。この場合には、図３や図５に含まれるステップ１２２〜１３２を省略すればよい。
【産業上の利用可能性】
【００５７】
上述したように、本発明によれば、受信した音声信号の無音状態を検出したときに同一内容を有する他の放送信号に切り替えることができるため、放送規格違反や放送事故における周期的あるいは継続的な無音状態が発生した場合であっても、代わりの放送信号を受信して正常な音声出力を行うことができ、受信音声の品質低下を防止することができる。
【符号の説明】
【００５８】
１０、３０  アンテナ
２０  ＤＡＢ／Ｔ−ＤＭＢチューナ部
２２  ＲＦ部
２４  アナログ−デジタル変換器（Ａ／Ｄ）
２６  デコーダ
２８  無音状態検出部
４０  ＦＭ／ＡＭチューナ部
５０  出力処理部
５２  アンプ
５４  スピーカ
６０  主制御部
６２  サービス切替部
６４  無音通知部
６６  無音処理部
６８  音量制限部
６９  履歴処理部
７０  表示装置
８０  操作部
９０  履歴情報格納部
【図１】
0005781458.tif 000002
【図２】
0005781458.tif 000003
【図３】
0005781458.tif 000004
【図４】
0005781458.tif 000005
【図５】
0005781458.tif 000006